(57)【特許請求の範囲】
【請求項１】
底板（４）と、少なくとも部分的に光透過性である光出射用の蓋板（３）と、底板（４）と蓋板（３）との間に形成され放電媒体を収容した放電空間（６）と、放電媒体内に誘電体バリア放電（７）を発生するための電極群（５）と、電極群（５）の少なくとも一部と放電媒体との間に設けられた誘電体層と、蓋板（３）と底板（４）とを結合する少なくとも１つの支持要素（１、２、１２）とを備えた放電ランプにおいて、支持要素が単一部材で蓋板（３）に一体成形された支持突出部（１、２、１２）であり、この支持突出部（１、２、１２）の輪郭が蓋板（３）から底板（４）に向かって底板（４）に対して垂直な少なくとも１つの切断面（Ａ−Ａ，Ｂ−Ｂ，Ｃ−Ｃ）において先細にされており、
底板（４）と蓋板（３）との間で放電空間（６）を通る１つの平面に１つの方向（Ａ−Ａ，Ｂ−Ｂ，Ｃ−Ｃ）が存在し、この方向に沿って支持突出部（１，２，１２）と放電チャネル（７）とが１つの列内に交互に位置しており、
支持突出部（１，２，１２）と放電チャネル（７）とが交互に位置する列が複数並列に存在しており、
電極群が複数の条帯状電極（５）を含み、同一の条帯状電極（５）のところで条帯状電極（５）の同一側に隣接して配置された複数の放電チャネル（７）がそれぞれ１つの支持突出部（１，２，１２）によって分離されており、
支持突出部（１，２）と放電チャネル（７）とがチェス盤パターンに配置されていることを特徴とする放電ランプ。
【請求項２】
複数の支持突出部（１、２、１２）が設けられている請求項１記載の放電ランプ。
【請求項３】
支持突出部（１、２、１２）が主に光透過性材料から構成されている請求項１又は２記載の放電ランプ。
【請求項４】
支持突出部（１，２，１２）が放電空間（６）側に外面を有し、この外面が少なくともほぼ全体的に底板（４）に向いて底板（４）から蓋板（３）にまで延びている請求項１乃至３の１つに記載の放電ランプ。
【請求項５】
支持突出部（１，２，１２）の外面が、支持突出部を切断し底板に対して少なくとも局部的に平行に蓋板（３）と底板（４）との間を延びる１つの平面に対して、少なくとも１２０°の角度を形成し、この角度が前記平面に対して垂直な１つの切断面において底板（４）に向かって規定されている請求項１乃至４の１つに記載の放電ランプ。
【請求項６】
底板（４）と支持突出部（１，２，１２）との接触部が支持突出部の寸法に比べて少なくとも１つの方向（Ａ−Ａ，Ｂ−Ｂ，Ｃ−Ｃ）において幅狭くなっている請求項１乃至５の１つに記載の放電ランプ。
【請求項７】
支持突出部（１，２）が蓋板（３）に沿って蓋板（３）の寸法に比べて小さい範囲（１）にそれぞれ制限されている請求項１乃至６の１つに記載の放電ランプ。
【請求項８】
支持突出部（１，２）が底板（４）に接触する頂点（２）を持つほぼ円錐（１，２）又はピラミッドの形を有する請求項７記載の放電ランプ。
【請求項９】
支持突出部（１，２，１２）が底板（４）に接しているだけである請求項１乃至８の１つに記載の放電ランプ。
【請求項１０】
支持突出部（１，２，１２）が放電空間（６）側の外面に発光体膜を有する請求項１乃至９の１つに記載の放電ランプ。
【請求項１１】
直接に隣接する支持突出部（１，２，１２）間の最大間隔が高々３０ｍｍである請求項１乃至１０の１つに記載の放電ランプ。
【請求項１２】
光放射面上又は光放射面の上方に光拡散要素が設けられている請求項１乃至１１の１つに記載の放電ランプ。
【発明の詳細な説明】
【０００１】
［技術分野］
本発明は、誘電体バリア放電用として設計され無声放電ランプとも呼ばれている放電ランプに関する。この放電ランプはランプの放電空間に存在する放電媒体内に放電を発生するための電極群を利用する。電極群の少なくとも一部と放電媒体との間に誘電体層が設けられ、この誘電体層が誘電体バリアを形成する。電極が陰極または陽極として動作するかどうかを決められているランプにおいては、少なくとも陽極が放電媒体から誘電体によって分離される。
【０００２】
［従来の技術］
このようなランプは従来の技術であり、とりわけパルス点灯方式（国際公開第９４／２３４４２号パンフレット参照）を用いて比較的高い効率を達成できるので近年においてますます注目を受けており、種々の用途のための可視光光源および紫外線放射器としての使用が魅力的である。特に、以下においては底板および蓋板と呼ばれる２つの通常平面平行な板の間に放電空間が存在するランプが関心を持たれている。少なくとも蓋板が少なくとも部分的に光透過性であり、この蓋板は当然その放電空間側の面に発光体膜を備えている。この発光体膜自身は本来の意味では透明ではない。板状構成を有するこのランプはとりわけ例えばディスプレイ、モニタ等におけるバックライト用の平面形放電ランプとして関心を持たれている。
【０００３】
大形のランプにおいて充分な安定性を保証するために、底板と蓋板との間には、放電空間の内部に存在し底板と蓋板とを相互に結合する支持要素が使用されている。両板の外側部位は放電空間を密閉する枠体によって結合されているが、この枠体はここでは支持要素とは呼ばれていない。支持要素は両板の外縁（この部位に前記枠体が設けられている）間の曲げ長さを短縮し、それによって曲げ荷重および圧縮荷重に対するランプの安定性を改善する。無声放電ランプはしばしば負圧の放電媒体を封入され、それゆえ両板には外部大気圧の一般的に大部分が作用していることも考慮されねばならない。
【０００４】
［発明の説明］
本発明の課題は、この従来技術から出発して、支持要素を改善した上述の種類の無声放電ランプを提供することにある。
【０００５】
それゆえ、本発明によれば、底板と、少なくとも部分的に光透過性である光出射用の蓋板と、底板と蓋板との間に形成され放電媒体を収容した放電空間と、放電媒体内に誘電体バリア放電を発生するための電極群と、電極群の少なくとも一部と放電媒体との間に設けられた誘電体層と、蓋板と底板とを結合する少なくとも１つの支持要素とを備えた放電ランプにおいて、支持要素が単一部材で蓋板に一体成形された支持突出部であり、この支持突出部の輪郭が蓋板から底板に向かって底板に対して垂直な少なくとも１つの切断面において先細にされていることを特徴とする放電ランプが提案される。
【０００６】
さらに、本発明は、かかる放電ランプを有する表示装置（例えばＬＣＤ技術における平面形スクリーン、ディスプレイ等）に関する。
【０００７】
本発明は、支持要素が独立したガラス玉として２つの板の間に置かれている従来技術とは異なり、支持要素を蓋板に統合された構成要素として形成するやり方を採用する。すなわち、支持要素は、単一部材で蓋板に一体成形され底板に向けられた蓋板の突出部である。蓋板がこの突出部と共に適当な形状付与プロセス（例えば深絞り加工又はプレス加工）によって作成されると好ましい。しかしながら、突出部は後からでも一体形成できる。重要なことは、蓋板がランプの組立て時に単一部材で蓋板と共に一体成形された支持突出部を有することである。ランプ組立て時に、２つの板の間に独立した支持要素を位置決めしかつ固定する労力が省略される。しかしながら、例えば底板に支持要素を固定するために、結合材（例えばガラスろう）を底板と支持突出部との間に設けることは有意義である。
【０００８】
さらに、本発明は、底板に最初に結合される従来の支持玉を先行技術としている、単一部材で支持要素と底板とを一体形成することは、支持要素と底板との接触部によって輝度分布に陰が生じこの陰が均質性を妨げるので、好ましくないという考えに基づいている。蓋板の光放射面と陰を惹き起す接触部との間隔が小さければ小さい程、陰ははっきり現れることが判明している。従って、その接触部を確かに完全には回避できないが、できるだけ深いところに配置させること、すなわち光出射面から離れて配置することが好ましいものと見なされている。これによって、ランプの輝度分布における陰は強く消滅し、特に、蓋板の上面またはその上方にさらに拡散体または他の輝度均質化要素等が使用されている場合にはより強く消滅する。その拡散体および類似の要素と陰を惹き起す構造物との間隔が大きければ大きい程、陰は平面に分散するすなわち消滅する。
【０００９】
さらに、本発明は、支持突出部が蓋板から底板に向かって先細にされた形状で延びることを提案する。その場合、先細は、底板に対して垂直に支持突出部を通って延びる少なくとも１つの切断面に生じている。２つの板は必ずしも平らでありかつ互いに平行である必要がない。用語“垂直”は場合によっては局部的に存在していてもよい。先細とは、板に沿った（同様に“沿った”は場合によっては局部的に存在していてもよい）方向への支持突出部の広がりが底板上にギリギリに位置する部位の切断面では底板から遠くに離れている部位よりも小さいことを意味している。すなわち、支持突出部は底板に向かって幅狭くなっている。その際、先細は支持突出部の全高さに亘って存在していてもいよい。
【００１０】
このような形状付与によって、必ずしも並列的に存在する必要がない種々の利点が得られる。第１には、底板とほっそりとした支持突出部との接触部の範囲では陰作用が小さくなる点である。第２には、パルス点灯法によって底板上に個々の局部化された放電チャネルが発生する場合、この放電チャネルがランプ設計時に支持突出部によって殆ど影響されずに底板上に分布するようにできる点である。この理由から、輝度の良好な均質性が得られ、放電チャネルを比較的密接して配置できるようになる。第３には、明細書の以下の説明からさらに明白になるように、支持部のかかる形状が蓋板の光学特性にとっても重要である点である。
【００１１】
本発明の基本的な考えは個々の支持突出部の構造に向けられている。本発明は当然多数の支持突出部を有する放電ランプに関する。特に本発明においては、従来技術の場合のように支持突出部の数をできるだけ少なくするという努力を必ずしも必要としない。寧ろ、本発明は、比較的多くの数（例えば、個別放電チャネルの数と同程度の数）の支持突出部が使用されているようなランプに向けられる。前述のことは殆どの又は全てのこの支持突出部に当てはまる。一般的な意味ではしかしながら１つの支持突出部だけは存在しなければならず又は本発明により作成されねばならない。
【００１２】
付加的な陰を防止し、支持突出部のできるだけポシティブな光学作用を利用するために、この支持突出部が光透過性材料から構成されていると好ましい。支持突出部はその場合に当然全体的または部分的に発光体で被覆することができるが、これは残りの蓋板にも当てはまる。支持突出部と蓋板の残りとがガラスから構成されていると好ましい。
【００１３】
支持突出部の形状が、先細になる断面を有する切断面が生じると共に、寧ろ支持突出部が底板へ向かって過度に大きく広がっている切断面が存在しないように設計されていると好ましい。換言すれば、これは、支持突出部の外面（いずれにしても外面の主要部分）が底板の放電空間側に位置していることを意味する。底板に対して垂直に延びるが支持突出部の周囲の主要部分を超えない、外面の個々の部位が生じていてもよい。その場合、外面は底板から蓋板まで延びる、すなわちここでは外面の小さな部分部位は話題にされない。
【００１４】
支持突出部の外面は、支持突出部を切断し底板に対して少なくとも局部的に平行に蓋板と底板との間を延びる１つの平面に対して、特に少なくとも１２０°、好ましくは少なくとも１３０°、最も好ましい場合には１４０°あるいはそれ以上の角度を形成するべきである。この角度は上記平面に対して垂直な１つの切断面において底板に向かって規定される。この角度は鈍角として底板へ傾いている支持突出部の外面に関係している。その斜めに位置する外面によって一方では放電のためのスペースが支持突出部の、底板に隣接する下面の近くに作成され、他方ではこの斜めの外面は支持突出部の場合によっては可能な光学的機能のために重要である。
【００１５】
つまり本発明による支持突出部が上述の斜めに延びる外面によって画成される場合、支持突出部は放電空間から突き当たる光の屈折によって又は支持突出部の中心部位に光を向けるために外面上の発光体膜の放射特性を適当に調整することによって光を受ける。それによって、底板への接触部によって生じる陰を消滅させることができる。
【００１６】
さらに、支持突出部の配置と放電チャネルとの全体設計において、個別放電の、電極構造物によって予め与えられるパターンと共に、できるだけ均質な輝度の最適化が行われる。つまり、支持突出部と底板との接触部の陰作用のほかに、個別放電チャネルが一般的に支持突出部の下ではなく支持突出部の間に発生するようにも考慮できる。それによって、最大の紫外放射発生が支持突出部間に位置するようになる。光学的転向作用によって光はその一部がこの範囲から支持突出部の範囲にもたらされ、それにより蓋板の上面には比較的均質な輝度が生じる。本発明の基本的な考えは、ここで従来技術とは異なり、支持突出部を放電チャネルの独立に均質化される輝度の障害物と見なさないことにある。寧ろ、本発明における支持突出部は光分布に重要な役割を果たし、全体設計において不均質な放電分布と同じように考慮される。実施例は本発明のここで述べた観点をはっきり示している。
【００１７】
この出願においては個別放電または放電チャネルが問題になっているが、これは厳密に言えばランプ（特に電極および支持突出部）を設計することによって予め定められ個々の放電チャネルが発生し得る領域に関係している。しかしながら、ランプの点灯状態に応じて、この領域内には種々の大きさの放電チャネルが考えられる。すなわち、この領域全部が放電チャネルによって占有されている必要はない。特にランプの調光機能と関連して、放電チャネルの大きさを制御できることが所望されることがある。すなわち、これは本発明において放電チャネルによって最大に占有できる領域に関係する。放電発生の優先位置を決定する電極構造物が設けられている場合、一般的に放電領域との１：１の対応が構成される。
【００１８】
既に述べたように、支持突出部は底板に向かって先細にされるべきである。支持突出部の、底板への接触部位ができるだけ幅狭いと最適であり、ここで用語“幅狭い”とは支持突出部のその他の寸法に比較した場合の寸法である。“幅狭い”は、例えば放電空間の高さの半分の高さにおいて支持突出部の（板に沿った）標準的な横方向寸法のほんの一部分（例えば１／３，１／４又は１／５より小さい）を形成する幅である。この幅狭さは底板の“局部的な”平面において少なくとも１つの方向に、好ましくは２つの方向に存在すべきである。すなわち、換言すれば、それは線状の幅狭い又はほぼ点状の接触面である。
【００１９】
全く一般的に支持突出部は底板への当接面が若干大きい場合にも蓋板に沿ってほぼリブ状に延びるか又は板の寸法に比較して小さい範囲に制限され得る。前者の場合接触面が幅狭い際には一般的に線状の接触面ということができ、後者の場合ほぼ点状の接触面ということができる。リブ状の支持突出部は所定の安定化機能を有し、例えば蓋板は１つの方向に改善された撓み性を備えることができる。さらに、蓋板は、実施例においてさらに詳細に説明するように、放電分布への影響を高めるために放電空間内の特定の範囲を互いに分離するために使われる。すなわち、蓋板は電極構造物と共に個別放電のための優先個所を規定し、個別放電を同一電極に沿って互いに分離する。他方、板平面の２つの方向に局部的に制限された支持突出部は最少の陰作用を呈し、通常支持機能のためには十分である。
【００２０】
それゆえ、局部的に制限された支持突出部のための優れた形状は、（場合によっては若干平らになっているか又は丸くされている）頂点が底板に接触する円錐によって又はピラミッドによって形成される。原理上、円錐およびピラミッドに関する任意の基本形状（すなわち任意に曲げられた面、多角形面、またはそれらの混合面）を採用できる。しかしながら、エッジによって光分布に或る程度の不均一性が形成されるので、殆どエッジのない支持突出部すなわち円錐が優れている。
【００２１】
既に詳細に説明したように、支持突出部と底板との接触面をできるだけ小さくすることに努められる。製造方法（ガラスに形状を付与する際に丸くすること）または底板の機械的点荷重に起因する限界が存在し、それゆえ底板に対して支持突出部の本来の“鋭利な”当接が生じるのでなく、寧ろ少し丸くされた又は平らにされた当接が生じる。この丸み又は平坦性が支持突出部の大きさに比べて著しく重要ではない限り、それによって“幅狭さ”の基本的な考えは妨げられない。
【００２２】
いずれにしても本発明の優れた特徴は、支持突出部と底板との接触面が接触のみによる当接から生じることによって出来るだけ小さくされることにある。換言すれば、接着剤、ガラスろう等は接触面を必然的に若干拡大させるので、これらはできるだけ省略されるべきである。因みに、そのような補助材は通常、ランプ製造時に加熱によりガスを放出しそれによって放電媒体の純度保持のために大規模な排気過程を必要とする欠点を有する。本発明によりそのような物質が省略されると、製造は明らかに簡単になる。しかしながら、接触による当接の場合、支持突出部が他のいずれにしても必要な膜（底板上の例えば反射膜または発光体膜）内へ少し押込められるのが排除される。同じことは支持突出部自体の発光体膜に対しても当てはまる。
【００２３】
支持突出部と底板との純粋に接触による当接は、板を互いに押圧させる機械的応力が通常発生しないので、得ようとする安定化作用のためには一般的に十分である。これは特に負圧の放電媒体を有する放電ランプを点灯するような技術的に興味のあるケースに当てはまる。その場合、支持突出部は外部の過圧によって底板に向かって押付けられる。
【００２４】
本発明の付加的な観点に基づいて、支持突出部を多数底板と蓋板との間に設けることが提案される。それによって、本発明はできるだけ僅かな数の支持突出物を使用するようにする従来技術とは付加的に異なる。本発明者等によって、適当に多い数の支持が行なわれる場合比較的薄い底板および蓋板を使用でき、それによりランプ全体のために相当の重量節約を実現できることが立証された。ランプの全重量は多数の用途にとって相当重要である。さらに、板が軽い場合、組立て方法およびこのために場合によっては必要な自動組立て装置が明らかに簡単になり、安価になる。因みに、当然に多数の支持突出部を用いれば安定性の改善が達成される。さらに、板材料が薄くなり、従って熱容量が小さくなるので、製造時のプロセス時間が短縮する。
【００２５】
支持突出部は個々の局部化された放電領域へ割当てられて放電空間内に配置されるべきである。このために先ず、個々の局部化された放電チャネルが本発明を要しなくても上述のパルス点灯法を用いて形成され、電極に優先部位を設けることによって固定的に局部化することができる。しかしながら、本発明はこのような優先部位を有するランプに限定されない。寧ろ、正に本発明によって支持突出部間に個別放電領域のための優先スペースが生じ、それにより通常用いられている構造物（例えば陰極における鼻状突出部）は弱く形成できる。場合によっては可能なパルス点灯法には無関係に、本発明による支持突出部間に個別放電チャネルまたは個別放電領域が作成される限り、本発明はそれにも関係している。
【００２６】
本発明において、支持突出部と個別放電領域との間の割当ては少なくとも、個々の放電領域がそれぞれ同じパターンで直ぐに隣接する支持突出部によって取囲まれている場合に存在するべきである。その場合、当然、放電ランプの縁部範囲におけるすなわち枠体の近辺つまり放電容器の側部密閉部における放電領域は除外される。放電領域の周囲に直ぐに隣接する支持突出部のパターンをこの放電領域と一緒に、輝度のできるだけ十分な均質性が得られるように設計することがなされる。支持突出部が比較的多数存在していても、それは均質性に対する欠点にはならない（放電ランプの全設計に対する上述の説明参照）。勿論、個々の支持突出部は２つ以上の放電領域に直ぐに隣接することができ、しかもこれが通常のケースである。
【００２７】
同様に、支持突出部自身ができるだけそれぞれ同じパターンで直ぐに隣接する放電領域によって取囲まれていると好ましい。
【００２８】
最後に、底板と蓋板との間の放電空間を通って１つの平面とこの平面内に１つの方向が存在し、その方向に沿って支持突出部と放電領域とが交互に位置すると好ましい。支持突出部と放電領域とが交互に位置する列は（パターンａｂａｂ．．．に基づいて）支持突出部と放電領域とが直接に次から次へ交互に位置する列である必要がない。各支持突出部および各放電領域が少なくとも１つの放電領域もしくは少なくとも１つの支持突出部を隣りに有する限り（すなわち例えばａｂｂａｂｂａｂｂ．．．又はａａｂｂａａｂｂ．．．）、順次規則的に２つの支持突出部または２つの放電領域が生じる列も含まれる。
【００２９】
支持突出部および放電領域は支持突出部と放電領域が交互に位置する列のこの方向において必ずしもぴったり同一直線上に位置している必要がなく、若干ジグザグ状に分布していてもよい。この平面に多数のその列が存在し、しかも互いに並列になっていると好ましい。さらに、前記平面に、前記方向に対して平行に位置していない第２の方向が存在し、この第２の方向に沿って同様に支持突出部と放電領域とが交互に位置する列が設けられていると好ましい。第１の方向における平行な列の群れと、第２の方向における平行な列の別の群れとが形成されていると好ましい。それによって、全体として、支持突出部と放電領域が交互に位置して構成される平面パターン（例えばチェス盤パターン模様）が生成する。
【００３０】
上記規定において、さらに、支持突出部と放電領域が交互に位置する列が設けられている方向が、次に隣接する又はせいぜい次の次に隣接する放電領域の中心、又は次に隣接する又は次の次に隣接する支持要素の中心を結合すると好ましい。さらに、条帯状電極において１つの条帯側面に位置して隣接する放電領域がそれぞれ支持突出部によって分離されると好ましい。
【００３１】
既に述べたように、本発明の主観点は、支持突出部が輝度分布の均質化に貢献する放電ランプの構成要素として見なされることにある。この観点は好ましくは比較的多数の支持突出部が存在する場合に特に重要である。支持突出部によって原理上規則的に発しする陰は、支持突出部が充分に多くの個別放電によって取囲まれている限り、拡散体または他の均質化手段によって、支持突出部を僅かしか使用していない従来の場合と同じく良好に補償される。さらに、支持突出部は既に述べたように光制御にも利用され、このために支持突出部は光透過性材料から構成される。確かに支持突出部は発光体膜も備えることができるが、支持突出部は（蓋板の残りの部分に比べて）発光体を全体的に又は部分的に設けられていなくてもよい、例えば後から拭き取ることができる。これによって、発光体膜の避けられない吸光性が除去されるので、支持突出部は付加的に明るくなる。
【００３２】
最後に、本発明においてかかる放電ランプが、電極が交互に陽極として及び陰極として機能する両極性の電圧での点灯用に設計されていると好ましい。両極性の電圧での点灯によって、一般的に非対称な放電チャネルが時間平均的に対称な分布になり、それによって光均質化がより一層改善される。
【００３３】
［図面の説明］
以下において実施例に基づいて本発明の具体的な説明を行なう。その際に開示される個々の特徴は図示された組合わせとは異なる組合わせにおいても本発明にとっては重要である。さらに、上述した説明および以下の説明における個々の特徴は本発明の装置的および方法的観点に関係している。詳細には次に通りである。
図１は個別放電と支持突出部との本発明による配置を示す概略平面図、
図２は図１の装置の図１のＡ−Ａ線に沿った断面図、
図３は支持突出部と底板との接触部が概略的に示されている本発明による放電ランプの電極群の、図１の装置に対応する平面図、
図４は第２の実施例の、図１に対応する図、
図５は第３の実施例の、図１および４に対応する図である。
【００３４】
図１は支持突出部と個別放電領域とのチェス盤パターン模様の配置を示す概略平面図である。番号１を付された円はＡ−Ａ線に沿った断面図を示す図２において上側に位置する蓋板３に設けられた支持突出部の円形根元である。番号２は円錐形の支持突出部の、下側へつまり底板４へ向けられた頂点であり、図１において円の中心点を形成している。
【００３５】
この実施例において蓋板３は深絞り加工されたガラス板である。蓋板３の上面は従って輪郭が蓋板３の下面と同じに成形されている。しかし、このことは必ずしも必要ではない。蓋板３の上面は平坦であってもよく又はそれとは異なる形状を有していてもよい。蓋板３（すなわち特に支持突出部）の形状の光学的作用の観点のほかに、とりわけ良好な製造性の基準を考慮する必要がある。
【００３６】
図２は、深絞り加工された円錐形の支持突出部が比較的平坦に延びる側面を有する様子を示す。実際上図２においては垂直寸法が誇張して示され、それゆえ支持突出部は実際には図示されているものよりはもっと平坦になっているつまり形成されている。支持突出部は水平線とで明らかに１２０°以上、例えば１３０°以上または１４０°以上の（底板に向かっている）角度を規定している。それゆえ、この側面と底板との間の角度は小さい、すなわち６０°以下、特に５０°以下もしくは４０°以下である。
【００３７】
図１において、番号５は条帯状電極であり、この条帯状電極においては陽極と陰極との間に差がない。すなわち、条帯状電極は全体的に誘電体層によって蓋板３と底板４との間に形成されている放電空間から分離されている。この放電空間は図２において番号６を付されている。条帯状電極５は直線状セグメント部分から構成され鋸歯状または波状に延びる形状を有している。条帯状電極５の、直ぐに隣接する支持突出部間に位置する短いセグメント部分は主条帯方向に対して傾斜しており、図１，２において番号７を付されている放電領域を分離している。この部分が存在しない場合、放電領域は直に接触してしまう。これらの斜めに位置するセグメント部分間では放電領域７自身の範囲の条帯状電極が弱く刻まれた鋸刃形状を形成している。その鋸歯の先端はそれぞれ中心に位置している。この電極形状は最短の放電間隔の範囲（すなわち条帯状電極５の突出している先端間）において個々の放電を局部化するために重要である。この実施例の場合、各放電領域７において面積が変動し場合によっては多数の放電チャネルに分割された個別放電が発生される。
【００３８】
この実施例から明らかなように、支持突出部１，２および放電チャネル７はそれぞれ同じ隣接装置（個別放電７もしくは支持突出部１，２）によって取囲まれている。その例外は放電ランプの縁部に位置する支持突出部１，２もしくは放電チャネル７だけである。
【００３９】
図１に記入されたＡ−Ａ線は交互に支持突出部１，２と放電チャネル７とを通って延びている。それが図２に示されている。直角なチェス盤パターン模様の配置によってここでは、大きなランプ構造から４つの水平の列と７つの垂直の列とを切取った一部分が図１に示されているように、多数の並んで位置する方向に支持突出部１，２と放電チャネル７とがそれぞれ交互に位置する列を有する簡単な配置が形成されている。図２において、個々の放電チャネル７は他の電極形状の場合には蓋板３の支持突出部１，２の下の範囲内にまで達するかもしれない。これは因みに図１において支持突出部頂点２を通って延びる垂直線に沿ったここには示されていない切断面に対しても当てはまる。図１において個々の放電チャネル７はほぼ正方形に描かれている。実際には個々の放電７の形状は他の形状であってもよい。
【００４０】
ここに示されている条帯状電極５は因みに、個々の放電チャネルを局部的に決定することのほかに放電の調光性に関する良好な特性をも有する経過を持っている。このために２つのドイツ特許第１９８４４７２０号および第１９８４５２２８号明細書が参照される。調光機能は個々の放電チャネル７の平面面積の変化を伴い、それゆえこの放電チャネルは図１，２に示されているものよりも小さくできる。因みに、支持突出部１，２は同じ条帯状電極５の間に配置されている放電チャネル７を互いに分離している。支持突出部１，２の分離機能のために、この実施例における条帯状電極５の鋸歯形状は放電間隔（すなわち条帯状電極５間の間隔）に対して比較的小さく刻まれている。
【００４１】
図３は電極５の群れを有する底板４の図１に対応した平面図を示す。しかしながら、図３には支持突出部１，２と放電チャネル７とがそれぞれ交互に位置する列を有する２１本の垂直線および１５本の水平線が設けられている完全な放電ランプが示されている。図３には底板４の平面が示されており、従って支持突出部はその頂点２がほぼ点形状で示されている。放電チャネル７は概要を理解し易くするために図示されていないが、しかし放電ランプの点灯時のために図１，２に示されているように形成されている。図３はさらに、条帯状電極５がそれぞれ交互に図３の右側に位置する母線端子１０と図３の左側に位置する母線端子１１とに導かれ、それらを介して共通に電子安定器に接続されることが示されている。
【００４２】
さらに、図３には底板４の外側範囲に枠状構造物８が示されている。通常ここでは底板および蓋板とは独立したガラス枠体が使用されている。この実施例の場合、しかしながら支持突出部１，２の形成と同様に“枠体”８は蓋板３の突出部であるが１つの点に向かう円錐状ではなくリブとして形成されている。底板４との枠体リブ８の接触面は、この接触面において例えばガラスろうによって蓋板３と底板４との気密結合が行なわれなければならないので、或る程度の幅を有している。因みに、枠体リブ８が設置される部位としては輝度が既に減少している縁部が使用されるので、その範囲における陰作用は問題にならない。
【００４３】
図３においてはさらに枠体リブ８の外側に、枠体の境界を示す直線９が位置している。枠体はリブ８の外側で上方へ折曲げられている。上方への折曲げ部の下には、ここでは外側に描かれている母線端子（母線構造物を有する）１０，１１が保護されて設置されている。因みに、枠体リブ８を設計する際、固定のために使用されたガラスろうの、接しているだけである支持突出部に対する厚みが考慮される必要がある。発光体膜は蓋板３の放電空間６側の面（すなわち図２においては蓋板３の下面）に設けられており、図３に示された境界の内部に位置する蓋板３を完全に覆っている。支持突出部１，２の外被面は同様に発光体によって覆われている。
【００４４】
図４は第２の実施例として図１に対する変形例を示す。対応する部分には同一符号が使用されている。図１〜３に示された第１の実施例との相違は、支持突出部がリブ状特性を有し、すなわち直線に沿って当接していることである。従って、この実施例において支持突出部は番号１２を付されている。補助線１３は、この実施例において底板４上への支持突出部１２の直線状当接がほぼ条帯状電極５上に位置していることを示している。条帯状電極５のジグザグ形状によって、条帯状電極５はそれぞれの支持突出部１２の下で支持突出部の両側に交互に位置している。従って、隣接する条帯状電極間には放電７が形成され、しかもこの放電は綿密に条帯状電極５の、支持突出部によって覆われていない範囲で行なわれる。
【００４５】
この実施例において、１つの特定の条帯状電極５から１つの特定の側へ発する隣接の放電チャネル７はそれぞれ支持突出部によって分離されている。この特徴は、複数の放電チャネルが集合して単一の放電チャネルを形成しないことにある。これはこの場合、支持突出部１２がかかる隣接の個別放電７（２回）間の条帯状電極５を覆うことによって保証される。これとは異なり、前述の実施例における個々の隣接する放電チャネル７の合流は支持突出部１，２を放電チャネル自身間（すなわちその重心間）に空間的に配置することによって達成されている。
【００４６】
因みに、この実施例は前述の実施例とは、支持突出部が図４の左側に示された断面図において波形に形成され若干丸くされて底板４に接触することが相違している。接触部のこのように丸くされた形状によって、同じ条帯状電極５に沿った放電領域間の分離機能が良好に生じる。因みに、この断面図において、（底板４上の垂直線の方向の）垂直寸法は誇張して示されている。実際には構造物はもっと平坦になって延びている。しかしながら、上記において既に何回も述べた１２０°の最低角度はこの実施例の場合には支持突出部の全高さに亘って生じていない。支持突出部の上側部位および下側部位は良好な角度範囲を有しているが、支持突出部の中間部位は実際には若干急傾斜している。
【００４７】
図５に第３の実施例が示されている。太い実線で表された線は条帯状電極を示し、番号５を付されている。この実施例の場合、条帯状電極５は上述の２つの実施例のように軽い鋸歯に形成されておらず、その代わりに真っ直ぐに延びた形状を有している。寧ろ、条帯状電極５の“鋸歯周期”に基づいて、斜めに後退して延びる中間部分が設けられている。この中間部分はリブ状の支持突出部１２の下で平行に位置している。リブ状の支持突出部１２は因みに図４に示された第２の実施例の支持突出部と同じである。その経過は補助線１３によって示されており、Ｃ−Ｃ線に沿った横断面図が図５の左側範囲に示されている。この場合も同様に、底板４とのリブ状支持突出部の接触部は若干丸くされている。これによって、条帯状電極５の、支持突出部１２と底板４との接触範囲に位置する条帯片では放電が有効に防止される。これはこの実施例では特に重要である。何故ならば、支持突出部１２の方向に沿って条帯状電極５間には、放電チャネル７が実際に生成されるべき個所における間隔よりも短い最少隣接間隔が形成されるからである。従って、この実施例において支持突出部を若干丸くして（又はその代わりに若干平らにして）底板１２上へ当接させることは、条帯状電極５の特定の部分を“遮断する”ためには好ましいことである。
【００４８】
図５の左側に示された断面図において垂直寸法は誇張して示されている。ここでも同様に、実際の構造物は若干平らである。支持突出部によってその高さに沿って規定された角度に対しては図４で述べたことが当てはまる。いずれにしてもこの実施例の場合、支持突出部１２の丸くされた下側部位はもっと若干幅広く形成されており、条帯状電極５の相応する部分を良好に覆うことができる。
【００４９】
条帯状電極５の特殊な形状によって、第１および第２の実施例におけるチェス盤パターンの配置に比較して、個別放電７の非常に密接した区域が生成される。図５の断面図において図示された個別放電７は斜めの角度で切断されている。従って、個別放電７は図２および４における放電の断面図に比較して同じようには底板からはっきり浮上がって見えない（本発明は通常のケースでは表面放電ではなく、放電空間の容積内に発生し或る程度のアークを形成する放電である）。しかしながら、実際には放電７は同様にその中央部位が底板４か少し離れているが、これはもはや図面には示されていない。
【００５０】
３つの全ての実施例は、従来の放電ランプに比較して支持突出部が極めて密接して配置されていることによって大きな板安定性を有する点で共通している。それによって、蓋板３および底板４は比較的薄く設計できる。因みに、実施例において、図３に示されているように、底板４と蓋板３との間に独立した枠体を使用することは必要でない。支持突出部と蓋板とを単一部材にて実施することによって、組立て労力が劇的に減少し、製造時間が明らかに短縮する。
【００５１】
因みに、実施例において示された支持突出部はそれぞれ本発明にとって重要な形状を有している。全ての実施例において、支持突出部は蓋板３から底板４へ向かって先細りにされて延びている。この先細りは第２および第３の実施例におけるリブ状支持突出部の場合にはリブ方向に直角に行なわれており、第１の実施例における円錐状の支持突出部１，２の場合には板に対して垂直な各断面において行なわれている。第１の実施例の場合、底板４と支持突出部の外被面との間には４０°の角度が形成され、その場合支持突出部の外被面は全体的に底板４側に位置している。これはその外被面と放電空間を通る上記において既に説明した、底板に平行な面との間に１４０°の角度を含み、１４０°のこの角度は底板側に規定されている。
【００５２】
この実施例の場合のように、蓋板３が支持突出部１、２もしくは１２を含めて発光体で被覆されると、可視光の放射特性が底板４との接触部に起因する陰を明るくする。すなわち、光が周囲から支持突出部の中心部へ向けられる。補助的に同様に光学的に有効な構造物が蓋板３の上面またはその上方に設けられていてもよい。この光学的に有効な構造物は蓋板３内に組込むかまたは独立した要素として設けることができる。
【００５３】
蓋板３が発光体で被覆されていない場合にも、底板４に斜めに面する支持突出部１，２および１２の外被面での光屈折によって類似の作用が生じる。その際、支持突出部はそれぞれ放電チャネル７のできるだけ一様な配置によって取囲まれている。それによって、第１の実施例においては、各支持突出部１，２がその周りに一様に分配された４つの放電チャネル７からの光を受入れ、それにより支持突出部１，２は放電ランプの縁部を除いて放電ランプ内で見分けられなくなる。図４に示された第２の実施例においては、支持突出部１２は放電チャネル７でその両側へ進む光を供給され、その場合付加的な均質化が交互配置によって与えられる。図５に示された第３の実施例は、交互配置に加えて、放電チャネルが密接して位置し、それにより放電のない範囲はより小さくなる点で一層改善されている。
【図面の簡単な説明】
【図１】  本発明による放電ランプの第１の実施例を示す概略平面図
【図２】  図１の装置の図１のＡ−Ａ線に沿った断面図
【図３】  本発明による放電ランプの電極群の平面図
【図４】  本発明による放電ランプの第２の実施例を示す図
【図５】  本発明による放電ランプの第３の実施例を示す図
【符号の説明】
１        円形根元
２        頂点
３        蓋板
４        底板
５        条帯状電極
６        放電空間
７        放電領域、放電チャネル
【図１】
0004610849.tif 000002
【図２】
0004610849.tif 000003
【図３】
0004610849.tif 000004
【図４】
0004610849.tif 000005
【図５】
0004610849.tif 000006